(57)【要約】      （修正有）【課題】防水および防汚の効果を有する防水防汚マウスパッドを提供する。【解決手段】防水防汚マウスパッド１は、底パッド１０、第２布２０および第１布３０を含む。底パッド１０は平板状のラバーパッドであり、相対する上表面１１および下表面１２を有する。第２布２０は上表面１１に貼付される。第１布３０は防水布地からなり、第１布３０は第２布２０上に結合される。【選択図】図１
0003223942.tif 000002
【実用新案登録請求の範囲】
【請求項１】
平板状のラバーパッドであり、相対する上表面および下表面を有する底パッドと；
該上表面に貼付される第２布と；
防水布地からなり、該第２布上に結合される第１布と；
を含む、防水防汚マウスパッド。
【請求項２】
該底パッドはホットプレスにより該第２布と結合される、請求項１に記載の防水防汚マウスパッド。
【請求項３】
第１架橋剤を設けることをさらに含み、該第１架橋剤は該第２布および該第１布の間に設けられる、請求項１に記載の防水防汚マウスパッド。
【請求項４】
該第１架橋剤は粘着性を有し、該第２布および該第１布を接着する、請求項３に記載の防水防汚マウスパッド。
【請求項５】
第２架橋剤を設けることをさらに含み、該第２架橋剤は該第２布および該底パッドの間に設けられる、請求項１に記載の防水防汚マウスパッド。
【請求項６】
該第２架橋剤は粘着性を有し、該第２布および該底パッドを接着する、請求項５に記載の防水防汚マウスパッド。
【請求項７】
平板状のラバーパッドであり、相対する上表面および下表面を有する底パッドと；
該上表面に貼付される第２布と；
平板状のシリコーンラバーパッドであり、該第２布上に設けられる中間パッドと；
該中間パッド上に設けられる第１架橋剤と；
該第１架橋剤を介して該中間パッド上に結合される第１布と；
を含む、防水防汚マウスパッド。
【請求項８】
該底パッドはホットプレスにより該第２布と結合される、請求項７に記載の防水防汚マウスパッド。
【請求項９】
第２架橋剤を設けることをさらに含み、該第２架橋剤は該第２布および該底パッドの間に設けられる、請求項７に記載の防水防汚マウスパッド。
【請求項１０】
第３架橋剤を設けることをさらに含み、該第３架橋剤は該第２布および該中間パッドの間に設けられる、請求項７に記載の防水防汚マウスパッド。
【考案の詳細な説明】
【技術分野】
【０００１】
本考案はマウスパッドに関し、特に防水防汚マウスパッドである。
【背景技術】
【０００２】
一般に、マウスパッドは主にマウスと組み合わせて使用することにより、マウスを移動させる過程で正確なマウスカーソルの移動量を得ることができる。また、現在のマウスパッドの表層は質感が比較的柔らかい織布を採用することができ、これによりマウスの操作において比較的快適で良好な手触りを使用者に提供する。
【０００３】
しかしながら、表面が布地のマウスパッドを長時間使用すると、そのマウスパッドの縁部は、マウスが移動する、または使用者が触れることにより布地がまくれ、さらにはマウスパッド底部との間に反りかえる、または分離する状況が生じることがあり、製品の耐久性の不足を引き起こす。さらに、使用者の腕が長時間マウスパッド表面にぴったりと接した状態で移動させると、使用者の手汗または貼りついた異物によりマウスパッドの表面に汚れが生じる可能性がある。しかし、このマウスパッドは表面が布地であるため水洗に適しておらず、さらには外観および使用感に影響を及ぼす。
【０００４】
このことを考慮して、本考案者は上記既存技術について鋭意研究を行い、さらに学理的な利用を組み合わせて、上記問題点の解決に尽力することは、本考案者の改良の目標となっている。
【考案の概要】
【考案が解決しようとする課題】
【０００５】
本考案の目的は、防水防汚マウスパッドを提供することにあり、これにより防汚および防水の目的を達成する。
【課題を解決するための手段】
【０００６】
上記目的を達成するため、本考案は防水防汚マウスパッドであり、底パッド、第２布、第１架橋剤および第１布を含む。底パッドは平板状のラバーパッドであり、相対する上表面および下表面を有する。第２布は上表面に貼付される。第１架橋剤は中間パッド上に設けられ、第１布は第１架橋剤を介して第２布上に結合される。
【０００７】
既知の技術と比較して、本考案の防水防汚マウスパッドは底パッド、第２布、第１布および接着剤を含む。また、底パッドおよび第１布の間は、第２布を設けることにより結合力を高め、これにより両者に分離および気泡が生じるのを防止する。これにより比較的良好な結合効果および外観を達成し、本考案の実用性を高める。
【図面の簡単な説明】
【０００８】
【図１】図１は、本考案の防水防汚マウスパッドの立体分解概要図である。
【図２】図２は、本考案の防水防汚マウスパッドの結合側面図である。
【図３】図３は、本考案の防水防汚マウスパッドにおけるもう１つの実施例の立体分解概要図である。
【図４】図４は、本考案の防水防汚マウスパッドにおけるもう１つの実施例の外観概要図である。
【図５】図５は、本考案の防水防汚マウスパッドにおけるもう１つの実施例の結合側面図である。
【考案を実施するための形態】
【０００９】
本考案に関する詳細な説明および技術内容について、図を組み合わせて以下のように説明する。しかしながら、図は参考および説明用に提供したに過ぎず、本考案を制限するものではない。
【００１０】
図１および図２を参照されたい。図１および図２は、それぞれ本考案の防水防汚マウスパッドの立体分解概要図および結合側面図である。図１に示すように、本考案は防水防汚マウスパッド１であり、底パッド１０、第２布２０および第１布３０を含む。また、該底パッド１０、該第２布２０および該第１布３０は、順番に重ね合わせて該防水防汚マウスパッド１を構成する。
【００１１】
さらに、実際に実施するとき、図２に示すように、該防水防汚マウスパッド１はさらに第１架橋剤４０および第２架橋剤５０を含む。該第１布３０、該第２布２０および該底パッド１０の間を、該第１架橋剤４０および該第２架橋剤５０を介して相互に結合する。該防水防汚マウスパッド１の構造をより詳細に以下のように記載する。
【００１２】
該底パッド１０は、平板状のラバーパッドである。該底パッド１０は、相対する上表面１１および下表面１２を有する。本実施例において、該底パッド１０は矩形の薄片体であるが、実際に実施するとき、該底パッド１０の形状は制限されない。
【００１３】
該第２布２０は該底パッド１０の上表面１１に貼付される。好ましくは、該第２布２０は織布（例えば編物、織物など）からなる。説明する必要があることとして、該底パッド１０はホットプレスにより、該第２布２０と直接結合することもできる。
【００１４】
さらに、該第１布３０は防水布地からなり、例えばポリエチレン（ＰＥ）、エチレン酢酸ビニル共重合体（ＥＶＡ）、ポリ塩化ビニル（ＰＶＣ）、ポリウレタン（ＰＵ）などプラスチック材質である。また、該第１布３０は該第２布２０上に結合され、該第１布３０を設けることにより、使用における防水および防汚の効果をマウスパッドに提供することができる。説明する必要があることとして、該第１布３０として一般的な布を設けることもでき、いくつかの特殊な処理、例えば一般的な布に防水材質（例えばＧｏｒｅＴｅｘ、フッ素樹脂、ナノ防水塗料…など）を塗布して、防水布とする。
【００１５】
具体的に、図２を参照されたい。該第１架橋剤４０は該第２布２０および該第１布３０の間に設けられる。また、該第２架橋剤５０は該第２布２０および該底パッド１０の間に設けられる。該第１架橋剤４０および該第２架橋剤５０は接着剤であり、これは接着剤とするとき、粘着性を有する。
【００１６】
説明する必要があることとして、ラバーからなる底パッド１０および該第１布３０の間を直接接着剤により結合するときの結合力が劣る場合、両者の間に容易に気泡が生じて外観に影響を及ぼす。したがって、本実施例中の底パッド１０および第１布３０の間を、他に該第２布２０を設けることにより結合し、これにより比較的好ましい結合効果および外観を達成する。
【００１７】
他に図３から図５を参照されたい。図３から図５は、それぞれ本考案の防水防汚マウスパッドにおけるもう１つの実施例の立体分解概要図、外観概要図および結合側面図である。前の実施例と比較すると、本実施例において、防水防汚マウスパッド１は底パッド１０、第２布２０、第１布３０、第１架橋剤４０および第２架橋剤５０以外に、該防水防汚マウスパッド１は中間パッド２５および第３架橋剤６０をさらに含む。
【００１８】
該中間パッド２５は平板状のシリコーンラバーパッドであり、該中間パッド２５は該第２布２０上に設けられる。さらに、該第３架橋剤６０は該第２布２０および該中間パッド２５の間に設けられ、つまり、該中間パッド２５は該第２布２０および該第１布３０の間に挟まれる。このほか、該中間パッド２５は該第３架橋剤６０を介して該第２布２０上に結合され、これにより該防水防汚マウスパッド１を構成する。さらに、該底パッド１０、第２布２０、第１布３０、第１架橋剤４０および第２架橋剤５０の構造は前記と同じように設けるため、ここでは省略する。
【００１９】
説明する必要があることとして、該第２布２０および該第１布３０の間に位置する中間パッド２５はシリコーンラバーからなり、これを設けることにより該防水防汚マウスパッド１の使用における手触りを高めることができる。このほか、該第１布３０は透過性を有するようにすることができ、また、該中間パッド２５の色は実際の使用における需要を判断して変更することができる。これにより、該中間パッド２５の色は該第１布３０を透過し、該防水防汚マウスパッド１はこれにより外観上の色または様態を変更することができ、本考案の実用性を高める。
【００２０】
以上の記載は本考案の好ましい実施例に過ぎず、本考案の範囲を決定するものではない。本考案の趣旨を利用したその他の同等の変更は、いずれも本考案の範囲に属するべきである。
【符号の説明】
【００２１】
１  防水防汚マウスパッド
１０  底パッド
１１  上表面
１２  下表面
２０  第２布
２５  中間パッド
３０  第１布
４０  第１架橋剤
５０  第２架橋剤
６０  第３架橋剤
【図１】
0003223942.tif 000003
【図２】
0003223942.tif 000004
【図３】
0003223942.tif 000005
【図４】
0003223942.tif 000006
【図５】
0003223942.tif 000007